(57)【特許請求の範囲】
【請求項１】
シート材を構成する繊維、フィラメント、これらから作られた糸、リボン、編布、織布、不織布あるいはフィルム等のシート材に至る各段階の素材又はシート材のいずれか一つを基体とし、基体の内、有機高分子化合物からなる部分の表面には、基体を光触媒機能による分解から保護することを目的として２００℃以下の温度で固定した過酸化チタン粒子のみからなる層を形成し、さらに、基体の表面全域に酸化チタン粒子の層を形成してあることを特徴とした光触媒シート材。
【請求項２】
シート材を構成する繊維、フィラメント、これらから作られた糸、リボン、編布、織布、不織布あるいはフィルム等のシート材に至る各段階の素材又はシート材のいずれか一つを基体とし、基体の内、有機高分子化合物からなる部分の表面には、基体を光触媒機能による分解から保護することを目的として加熱して固定した不活性酸化チタン粒子のみからなる層を形成し、さらに、基体の表面全域に酸化チタン粒子層を形成してあることを特徴とした光触媒シート材。
【請求項３】
基体が自発型紫外線放射体及び／又は蓄光型紫外線放射体を有することを特徴とした請求項１又は請求項２に記載の光触媒シート材。
【請求項４】
基体となる有機高分子化合物が吸収する光吸収スペクトルのピークが、これに混入した紫外線放射体が放射する光のピーク領域から外れ、基体表面に形成した光半導体粒子層の光吸収スペクトルのピーク領域が紫外線放射体が放射する光のピーク領域と少なくとも一部が重合するように、基体に混入する紫外線放射体及び光半導体粒子層の組成が調製されていることを特徴とした請求項３に記載の光触媒シート材。
【発明の詳細な説明】
【０００１】
【発明の属する技術分野】
この発明は、気体や液体中の有害有機化合物を金属酸化物である光触媒機能で分解し無害化したり殺菌する、編布、織布、不織布などのシート材に関する。
【０００２】
【従来の技術】
酸化チタン（ＴｉＯ2）等の金属酸化物の多くは、紫外線によって励起され、表面の電子移動が比較的自由になる、いわゆる、光半導体である。光半導体は、励起で自由になった電子によって半導体表面に接する物質を酸化還元する光触媒機能を発揮する。
【０００３】
日常の生活場面で、光触媒機能は脱臭や殺菌作用を得るために利用されるが、例えば、住宅や、不特定多数の人が利用する施設であるホテル、公共施設や病院などで居室内の空気を浄化する方法として、内装材、天井、壁装材に光触媒機能を付加し、また、太陽光の紫外線を受光しやすいカーテン材に光触媒半導体を担持させると、太陽によって暖められ上昇循環する室内空気が、これらのシート材に接触して、居室内に浮遊する臭気や内装下地材に含まれる接着剤の揮発性有機化合物（ＶＯＣ）が効率良く除去される。
【０００４】
また、内装材やカーテン材等の織布に限らず、  各種機器のフィルターや医療用ガーゼ、ウエットティッシュ、あるいは人工皮革等の不織布も繊維間に多くの間隙を有する多表面体であるが、これらに光触媒機能を持たせることは、衛生上、医療上あるいは消臭上で有効である。
【０００５】
このためには、光触媒半導体を担持する基体である繊維や布自体が光触媒機能で分解されないことが条件である。しかし、光触媒機能は、本来、光触媒半導体が紫外線の照射によって励起され、その酸化、還元作用で有機高分子化合物質を分解することであるから、光触媒半導体を担持する基材が金属繊維やガラス繊維のように無機物質の場合は格別の問題はないが、天然繊維や合成樹脂繊維のように有機高分子化合物の繊維である場合には、時間の経過と共に基材そのものが分解されて劣化する事態が生じる（光触媒劣化）。
また、有機高分子化合物は、紫外線によっても分解され、劣化する（光化学劣化）。光触媒半導体を表面に担持した基体に対して外部からの紫外線は、表面の光触媒半導体の層で大部分が吸収されるが、残りの部分が基体に到達する。
【０００６】
従来の光触媒機能を備えたシート材について見ると、特開平７−２９９３５４号公報は、表面に光触媒半導体粒子を担持させた白色顔料の粒子を、通気性シートに内包又は封入したシート材を提案しているが、特殊な構造で汎用性に欠け、ガーゼなどの柔らかいものは作れない。
【０００７】
特開平７−３１６３４２号公報は、光触媒半導体の粒子を含有する合成樹脂をシート状にして、壁装材、床材、各種袋として用いるシート材を提案しているが、光触媒半導体の粒子をこのように基体中に混練してしまったのでは、光触媒機能を十分に発揮することができない。また、混練の不可能な天然繊維の布などに適用することができない。
【０００８】
特開平８−１０１０号公報は、表面に酸化物半導体微粒子層を、中間に接着層を、さらに裏面に剥離層を有する貼付用シートを開示している。このシート材は、壁や天井など光触媒半導体粒子を固定するのが困難な箇所に用いることを目的としたものでやはりガーゼなど柔らかいものに適用することができない。
さらに、従来のこの種シート材について見ると、光触媒劣化および光化学劣化の予防あるいは抑制について開示するところがない。また、シートを洗浄して再使用する可能性や夜間あるいは暗い室内など十分な紫外線を得られない環境での使用について開示するところがない。
【０００９】
【発明が解決しようとする課題】
この発明は、光触媒半導体を担持する有機高分子化合物からなる基体が光触媒機能によって分解されることがなく長期間の使用に耐え、必要によって洗浄しても光触媒機能が失われず、また、外部から十分な紫外線を得られない環境においても光触媒機能を期待できる光触媒シート材の提供を課題とする。
【００１０】
【課題を解決するための手段】
シート材に光触媒半導体粒子の層を形成して、光触媒機能を持たせるに際して、光触媒半導体を担持させる基体（担体）の内、有機高分子化合物からなるものの表面に、光触媒作用を遮断する基体保護層を形成する。
シート材は、編布、織布、不織布、フィルムであり、素材は、麻、綿、毛の天然繊維、ポリエステル、レーヨン、ナイロン、ポリプロピレン、ビニール、アセテート、アクリル等の合成樹脂繊維（フィラメントを含む）あるいはこれら合成樹脂のフィルムである。フィルムを除いて、これらのシート材には繊維、紡糸、撚糸あるいはリボンの各段階がある。
【００１１】
なお、繊維として、金属やガラスの繊維を用いることがあり、一枚のシート材を複数の素材を用いて作ることがある。さらに、用途に応じて、紙、合成皮革を使用することができる。シート材として、インテリア用及び服飾用のものでは、意匠的要素及び強靭さが要求され、衣料用及び衛生用品には柔軟性が要求される。
【００１２】
基体保護層は、過酸化チタン、ペルオキソチタン酸、チタン以外の金属酸化物を含むペルオキソチタン酸等を用いて形成する非結晶質（アモルファス型）酸化チタン粒子の層と、光触媒機能に関して、不活性化した酸化チタン粒子の層で形成する。これらは光触媒機能を有していないので、基体を分解してしまうことはない。
【００１３】
非結晶質酸化チタン粒子の層は、例えば次のような方法で基体表面に形成することができる。
基体となる布に最終工程として染色加工を施したものに、ゾル状態からゲル状態に状態を変化させている途中の性状を示す過酸化チタン水溶液を吹付けたり、この水溶液にディッピングした後、余分の水溶液を除去して、乾燥し、ついで、基体の耐熱温度を配慮しながら２００℃以下の温度で固定する。
【００１４】
あるいは、前記と同様にディッピングするなどにより、基体表面にペルオキソチタン酸の水溶液をコーティングして、乾燥し、ついで、２００℃以下の温度で固定する。
これにより、基体表面には非結晶質の過酸化チタン粒子の層が形成される。
このとき、温度が２００℃以上になると、ペルオキソチタン酸の場合、非結晶質の過酸化チタン粒子は、アナターゼ型酸化チタンに類似の特性を備え、光触媒機能を発揮するようになる。
【００１５】
別の方法として、基体を構成する繊維の原料樹脂をノズルからペルオキソチタン酸水溶液中に放出し、繊維の表面に非結晶質過酸化チタン粒子の薄膜を形成する。この場合も、乾燥後、２００℃以下の温度で固定する。固定する時期は紡糸後、撚糸後あるいは、織成後であっても良い。
【００１６】
光触媒機能に関して不活性化した酸化チタンの層は、例えば次のような方法で基体表面に形成することができる。
アナターゼ型酸化チタンゾル中にイオン型界面活性材をゾル中の酸化チタン（ＴｉＯ2） 濃度に対し１ｗｔ％以上混合して酸化チタンの光触媒機能を不活性化し、このゾルを基体に吹き付け、ディッピングあるいは塗布する。そして、乾燥後加熱して固定する。
【００１７】
この加工を施した基体表面に光触媒半導体の層を形成すると、紫外線の照射により光触媒半導体が励起されても、基体表面側に移動する電子は、基体保護層に含まれるイオン型界面活性材のイオンと結合し、基体表面に対し酸化還元作用を行うことはできない。このため、基体に対する光触媒機能の作用はなく、基体を保護することができる。
【００１８】
なお、光触媒半導体を担持させる基体は、編布、織布、不織布あるいはシートの形態を有するものばかりでなく、シートに至る各段階の繊維、紡糸、撚糸あるいはリボンであっても良い。加工上の困難がなければ、繊維や糸の段階で光触媒半導体の粒子を担持させておくと、シート材となった時に光触媒半導体の固定状態が強く、数回の洗浄を繰り返しても光触媒機能を維持している。
すなわち、シート材に光触媒機能を持たせるために光触媒半導体を担持させる基体として、繊維、フィラメント、糸、リボン、編布、織布、不織布あるいはフィルムの内の一つ、又はいくつかを目的に応じて選択することができる。
【００１９】
さらに、非結晶酸化チタン粒子の層、過酸化チタンの層、あるいは不活性化された酸化チタンの層を形成する必要があるのは天然繊維や合成樹脂繊維であるから、例えば、フィルターなどでガラス繊維と合成樹脂繊維とを絡ませた不織布のように、無機質繊維と有機質繊維を分離して処理できない場合には、繊維を基体として処理し、すなわち、基体保護層を形成する処理を繊維段階で行い、ついでその繊維を不織布に織成するのが合理的である。ただし、不織布に織成して全体に基体保護層を形成する処理を施しても良い。
【００２０】
光触媒半導体には、ＴｉＯ2 ，ＺｎＯ，ＳｒＴｉＯ3 ，ＣｄＳ，ＣｄＯ，ＣａＰ，ＩｎＰ，Ｉｎ2 Ｏ3 ，ＣａＡｓ，ＢａＴｉＯ3 ，Ｋ2 ＮｂＯ3 ，Ｆｅ2 Ｏ3 ，Ｔａ2 Ｏ5 ，ＷＯ3 ，ＳａＯ2 ，Ｂｉ2 Ｏ3 ，ＮｉＯ，Ｃｕ2 Ｏ，ＳｉＣ，ＳｉＯ2 ，ＭｏＳ2 ，ＭｏＳ3 ，ＩｎＰｂ，ＲｕＯ2 ，ＣｅＯ2 がある。
これらの光触媒半導体が吸収する紫外線は、波長が５０〜４００nmで、可視光線よりも少し短波長であるが、光触媒半導体によっては、吸収波長が可視光線を領域とするものがある。例えば、ＳｉＣでは４１３nm、ＣｄＳでは４９６nm、Ｆｅ2 Ｏ3 では５３９nmである。
【００２１】
このように光触媒半導体を励起する光線の波長はその種類によって異なるので、紫外線供給源の発光スペクトル特性や用途に応じて適当なものを選択したり、複数種類の光触媒半導体を組み合わせて調節することができる。
また、無機顔料や金属を添加して組成を調整したり、製造過程での熱処理を調整することによって、光触媒機能の発揮に必要な紫外線の波長（吸収帯）を変えることができる。例えば、ＴｉＯ2 にＣｒＯ3 を少量添加すると、吸収帯は長波長側に移動する。
なお、防黴・殺菌等の機能を補完するために、Ｐｔ・Ａｇ・Ｒｈ・ＲｕＯ2 ・Ｎｂ・Ｃｕ・Ｓｎ・ＮｉＯなどを添加剤として用いることがある。
【００２２】
以上の光触媒半導体の内ＴｉＯ2 （酸化チタン）は、市販されていて、人体に無害である上、安価であり、利用しやすい。「ＳＴ−０１］（商品名  石原産業株式会社）は粉末として提供され、「ＴＯゾル」（商品名  株式会社田仲転写）、「ＳＴＳ−０１」（商品名  石原産業株式会社）はゾル状態で提供されている。粉末やゾルを構成しているＴｉＯ2 の粒径は７〜２０ｎｍで非常に細かい。
【００２３】
基体に対する光触媒半導体の固定には、スプレー、塗布、浸漬、スパッタリングなど、種々の手段を採用でき、基体の種類に応じて選択するが、再使用や洗浄に耐えるものでなくてはならないため、熱加工を施す。ＴｉＯ2 の場合、固定温度は５０℃〜５００℃で比較的幅が広いが、基体保護層としてペルオキソチタン酸を用いる場合は、２００℃以下の温度で行う。また、現在市販されている繊維の耐熱温度は、レーヨンが２６０℃以下、アセテートが２００℃以下、ナイロンが１８０℃以下、ポリエステルが２３０℃以下であって、十分熱加工コーティングに耐えることができる。
【００２４】
このように形成された光触媒シート材は、室内の蛍光灯の紫外線や太陽光の紫外線を受けて担持されている光触媒半導体が励起され、酸化、還元作用で有害有機物質を分解して、脱臭、空気浄化、殺菌等の効果を発揮する。
特に、開口部に設置されて太陽光を受けやすいカーテンに利用すると、光触媒半導体が暖められて上昇循環する室内空気に効率良く接触して、居室内の臭気や建材・接着剤等に含まれる揮発性有機物（ＶＯＣ）を除去する。
また、殺菌用ガーゼ等の医療用品やウェットティシュ等の衛生用品に用いると、感染症の予防に効果がある。
【００２５】
基体に紫外線放射体を担持させることがある。
基体に紫外線放射体を混入した光触媒シート材では、光触媒半導体の励起に必要な紫外線を自己供給するので、夜間や屋内など、外部からの紫外線の供給がなかったり、わずかな場合にも光触媒機能を発揮、維持することができる。
【００２６】
紫外線放射体には自発型と蓄光型があり、自発型紫外線放射体（自発型発光セラミック）は、内部エネルギーを消費して自ら発光する物質で、ラジュウムやプロメチウムの放射崩壊を利用しており、発光スペクトルに紫外線領域を有している。現状ではこのよう成分を含む岩石の精製粉末を固めたものを再度粉砕した破砕微粒子を利用する。粒径は２０〜５０μｍである。
【００２７】
蓄光型紫外線放射体（蓄光型発光セラミック）は、外部のエネルギーを取り込んで蓄積し、その分を放出しながら発光する物質で、やはり、発光スペクトルに紫外線領域を有している。市販品として、「ルミノバ」（商品名  根元特殊化学）、「キプラス」（商品名  株式会社ネクスト・アイ）がある。これらは、高純度のアルミナ、炭酸ストロンチウム、ユウロピウム、ジスプロシウムなどの成分を含んだストロンチウムアルミネート（ＳｒＡｌ2 Ｏ4 ）を主成分としている。
【００２８】
蓄光型紫外線放射体は、十分に強い外部紫外線のもとに４〜３０分置くと発光のための外部エネルギーの吸収が飽和し、以後、外部エネルギーを遮断しても約１０００分にわたって発光を続け、光触媒半導体に紫外線を供給する。「ルミノバ」を例にとると、発光紫外線の波長ピークは４４０〜５３０ｎｍ付近にあるが、通常の光触媒半導体を励起する波長領域も有する。
【００２９】
なお、これらの紫外線放射体の中には、湿気を吸収すると性能が大きく低下してしまうものがあるので、直接湿気に触れないように基体が紫外線に関して透明な場合には、基体中に紫外線放射体を混入することが望ましい。天然繊維の場合には紫外線放射体を混入した合成樹脂を吹き付けるなどして基体保護層の形成前にコーティングする。
【００３０】
シート材に紫外線放射体を担持させる形態は、主として基体表面への付着、固定であるが、合成樹脂繊維や合成樹脂フィルムの場合には基体中に混入することができる。また、繊維が合成樹脂フィラメントの場合は、断面を放射状に区画し、一部の区画に紫外線放射体を混入したり、断面の最外層部をリング状に、紫外線放射体を混入した層とすることもある。
このようなフィラメントは、紫外線放射体を混入した樹脂原料と、紫外線放射体を混入していない樹脂原料をそれぞれ別のノズルから空気中または有機溶剤、水等の冷却溶液の中に押し出し、硬化する前に互いに密着させて製造する。
また、天然繊維の場合にはそれ自体に紫外線放射体の粒子を混入することはできないから、撚糸の段階で、紫外線放射体を混入した合成樹脂繊維と撚り合わせる。
【００３１】
前記のように、基体は光触媒半導体の光触媒機能による光触媒劣化と紫外線による光化学劣化を受ける。光触媒劣化の抑制については、すでに述べた。
光化学劣化の抑制には、光化学劣化の速度及び最も劣化しやすい波長が樹脂によって異なることを利用する。ちなみに、代表的な合成樹脂の最大劣化波長は、ポリエステルが３１８nm、ポリプロピレンが３００nm、ポリカーボネートが２８５〜３０５nm・３３０〜３６０nm、ポリエチレンが３００nmである。
すなわち、光化学劣化を防ぐには、紫外線放射体を選択してその発光スペクトルと樹脂の最大劣化波長を相違させる。また、基体が担持する光触媒半導体の励起波長と合成樹脂の最大劣化波長が合致しないようにする。もちろん、ユービトロキシベンゾフェノン系、トリアゾール系等の紫外線吸収材を基体に添加することは光化学劣化の防止に有効である。
【００３２】
【発明の実施の形態】
第一の例
ポリエステル繊維、レ−ヨン繊維をアクリルバインダ−で結合してある不織布〔シンワ（株）4880Ｃ〕を基材とし、最初水道水で水洗いした後、純水で洗い、これを７０℃で乾燥した。ついで、室温（２３．８℃）下で過酸化チタンゾル  （ＴｉＯ3   ０．３ｗｔ％  P.H ５  粘稠性）にディッピングし、余分のゾル剤を除去したのち、乾燥前に酸化チタン粉末〔ＳＴ−０１  石原産業（株）〕を浮遊状態としている空間に入れ、表面全体に酸化チタン粒子を付着させた。
【００３３】
この状態のものを５０℃の雰囲気中で半乾燥し、アイロンを１２０〜１５０℃で全面にかけ、酸化チタン粒子を固定して完成品を得た。
完成品は全体として若干黄白っぽく見え、また、不織布を構成する繊維間の間隙に僅かな目詰まりが認められるものの、外観の印象は加工前とほとんど変わらない。繊維断面を拡大したものを模式的に図示すると、図１のように、中心に位置する繊維１の表面に非結晶質の過酸化チタン粒子の層からなる基体保護層２が形成されており、さらに、その表面に光触媒半導体の層が形成されている。
【００３４】
完成品を壁紙相当の配置として通常の居室空間に２ケ月放置した後、縦横に引張ったり、屈曲して見たが、強度その他に異常は無かった。なお、この実験は、現在も続けており、長期に亘る基体の劣化（光触媒劣化、光化学劣化）を観察している。
酸化還元機能については実験例として後にまとめて記載する。
【００３５】
第二の例
綿５０％、ポリエステル５０％の混紡繊維による織布〔デオリア  （株）日本フィスバ 〕を基材とし、第一の例と同様に、最初水道水で水洗いした後、純水で洗い、これを７０℃で乾燥した。ついで、室温（２３．８℃）下で過酸化チタンゾル  （ＴｉＯ3   ０．５ｗｔ％  P.H ６．４  ゾル状）にディッピングし、余分のゾル剤を除去したのち、乾燥前に酸化チタン粉末〔ＳＴ−０１  石原産業（株）〕を浮遊状態としている空間に入れ、織布の表面全体に酸化チタン粒子を付着させた。
【００３６】
この状態のものを５０℃の雰囲気中で半乾燥し、アイロンを１２０〜１５０℃で全面にかけ、酸化チタン粒子を固定して完成品を得た。
繊維断面の模式図は、図１と同様である。
完成品は全体として若干黄白っぽく見えるが外観の印象は加工前とほとんど変わらない。完成品を壁紙相当の配置として通常の居室空間に２ケ月放置した後、縦横に引張ったり、屈曲して見たが、強度その他に異常は無かった。なお、この実験は、現在も続けており、長期に亘る基体の劣化（光触媒劣化、光化学劣化）を観察している。
酸化還元機能については実験例として後にまとめて記載する。
【００３７】
第三の例
綿１００％の織布〔デュフィ  （株）日本フィスバ〕を基材とし、第一の例と同様に、最初水道水で水洗いした後、純粋で洗い、これを７０℃で乾燥した。ついで、室温（２３．８℃）下で過酸化チタンゾル（ＴｉＯ3   １．７６ｗｔ％  P.H ６．０  ゾル状）に酸化チタンゾル〔ＴＯ  （株）田中転写  ３．９４ｗｔ％  PH  ８．１〕を混合したゾル剤にディッピングし、余分のゾル剤を除去したのち、５０℃の雰囲気中で乾燥した。
【００３８】
このものは繊維の表層に過酸化チタン粒子と酸化チタン粒子が混在した層を形成するが、過酸化チタンゾルの方が繊維表面に対して展延性に優れるので、繊維の表面近くは過酸化チタン粒子の層となり、表層側に酸化チタンの層が存在する。光触媒機能は少し劣ることになるが、さらに酸化チタン粉末を付着させる必要はない。
ついで、アイロンを１２０〜１５０℃で全面にかけ、酸化チタン粒子と過酸化チタン粒子の層を固定して完成品を得た。
【００３９】
完成品の外観は加工前とほとんど変わらない。完成品を壁紙相当の配置として通常の居室空間に２ケ月放置した後、縦横に引張ったり、屈曲して見たが、強度その他に異常は無かった。なお、この実験は、現在も続けており、長期に亘る基体の劣化（光触媒劣化、光化学劣化）を観察している。
酸化還元機能については実験例として後にまとめて記載する。
【００４０】
図２〜図４は、上記の例において、ポリエステル繊維１に蓄光型紫外線放射体である「ルミノバ」を混入した例であり、図２の場合、繊維１の全体に、図３の場合、繊維断面を放射状に分割した内の複数の領域に、図４の例では、断面において表層側のリング部分に混入されている。ハッチングを施した部分が混入箇所であり、符号１は繊維、符号２は基体保護層、符号３は光触媒半導体粒子の層を示している。
ポリエステル繊維が吸収する光波長のピークは３１８nmであり、酸化チタン粒子層が吸収する光波長のピークを４８０nmに調整してある。これに対して、「ルミノバ」は、放射する光波長の帯域を４４０〜５３０nmに調整してある。
【００４１】
図５は、天然繊維と紫外線放射体を混入した合成樹脂繊維とを混紡したものの断面であり、天然繊維を利用する織布に蓄光性能を付与するひとつの手段である。
【００４２】
0003786474.tif 000002
【００４３】
0003786474.tif 000003
【００４４】
手順
図６、図７に示すように、大容器４を机上に載置し、その直上にブラックライト５を机の上面から７０mmの位置に水平に配置する。大容器４の内部に６個の小容器６を均等に配置し、それぞれに準備したシート材７を納める。ついで、それぞれの小容器６にそれぞれ５０ccの着色水を注入した。そして、大容器４の蓋を閉じ、室温下に放置し、外部から各小容器における着色水の色の変化を観察した。
ポルックスブルーは有機高分子化合物の顔料であり、光触媒半導体の光触媒機能によって分解され、溶液を着色する機能を失う。これによって、光触媒機能による酸化還元作用の進行程度および光触媒機能の強弱を知ることができる。
【００４５】
結果
１回目
0003786474.tif 000004
【００４６】
２回目
１回目の実験で使用したシート材ａ〜ｆを洗浄し、同じ要領で実験を繰り返した。ポルックスブルー着色液は各小容器に新ためて５０ccずつ注入した。
0003786474.tif 000005
【００４７】
３回目
２回目の実験で使用したシート材ｂ，ｅ，ｆを再度洗浄し、ポルックスブルー着色液を各小容器に５０ccずつ新ためて注入して同じ要領で実験を繰返した。小容器は大容器中に３個とした。
0003786474.tif 000006
【００４８】
以上から、光触媒機能に強弱の差（ａ，ｂ＞ｃ，ｄ＞ｆ＞ｅ）はあってもいずれのシート材も十分な酸化還元作用を発揮するものであることが分る。
【００４９】
【発明の効果】
請求項１、請求項２に記載の構成によれば、基体表面に非結晶質の過酸化チタン粒子層や不活性化した酸化チタン粒子層が形成されるので、基体が天然繊維や合成樹脂繊維の有機高分子化合物であって表面に光触媒半導体の層を形成しても、その自らの光触媒機能によって、基体が分解されることがなく、劣化しない。よって、光触媒シート材として長期間に亘り使用することができる。
【００５０】
請求項３に記載の構成によれば、シート材自らが紫外線放射体を備えるので、紫外線の届かない暗い場所でも光触媒シートとしての機能を果たすことができる。この性能は、通常、紫外線の届きにくい箇所で使用されるフィルター用や医療用のシート材として有用である。
請求項４に記載の構成によれば、紫外線によって有機高分子化合物の基体が劣化することがなく光触媒シート材の耐久性がより向上する。
【図面の簡単な説明】
【図１】基体保護層と光触媒半導体の層を有する繊維の断面図。
【図２】基体に紫外線放射体が混入され、基体保護層と光触媒半導体の層を有する繊維の断面図。
【図３】基体の紫外線放射体が混入された領域を放射状に形成し、基体保護層と光触媒半導体の層を有する繊維の断面図。
【図４】基体の紫外線放射体が混入された領域をリング状に形成し、基体保護層と光触媒半導体の層を有する繊維の断面図。
【図５】天然繊維と紫外線放射体を混入した合成樹脂繊維との混紡に基体保護層と光触媒半導体の層を形成した撚糸の断面図。
【図６】模式的に示した実験装置の正面図。
【図７】模式的に示した実験装置の平面図（ブラックライトを省略）。
【符号の説明】
１  基体
２  基体保護層
３  光触媒半導体粒子の層
４  大容器
５  ブラックライト
６  小容器
７  シート材
【図１】
0003786474.tif 000007
【図２】
0003786474.tif 000008
【図３】
0003786474.tif 000009
【図４】
0003786474.tif 000010
【図５】
0003786474.tif 000011
【図６】
0003786474.tif 000012
【図７】
0003786474.tif 000013